(57)【要約】【課題】  入力して来る音声に係る信号を記録媒体に記録し、その記録されているデータ全体から読み出しを所望するデータ部分を確実に読み出すことが可能で、装置そのものの構成が簡便である音声データの記録再生装置の提供を目的とする。【解決手段】    記録媒体Ａ１９に記録されるデータの全域にＦＦＴ処理部２５で高速フーリエ変換処理を行いそのデータの周波数成分と振幅レベルを得て記憶部２６に記憶し、読み出しを所望するデータ部分に対応する音声の信号をコード入力部６から入力して同様にＦＦＴ処理部２５で高速フーリエ変換処理を行って得たその部分データの周波数成分と振幅レベルを記憶部２６に記憶の前記処理結果と照合させることによって、読み出しを所望するデータ部分を特定する。【選択図】  図２
2009032335.tif 000002
【特許請求の範囲】
【請求項１】
音声に係るデジタルデータを記録媒体に記録し、その記録媒体に記録されたデータ全体の中から所望するデータ部分を特定して読み出し、再生、コピー、編集の少なくともいずれか一つを行う音声データの記録再生装置であって、
記録対象となる音声に係るデジタルデータの全域に、高速フーリエ変換処理によってどの周波数成分がどれだけの振幅レベルで含まれているかの抽出を行ってその抽出結果を検索用データとして記録し、読み出しを所望するデータの少なくとも一部についても同様に高速フーリエ変換処理によって周波数成分と振幅レベルの関係を示す目的データを作成し、その目的データを前記検索用データに照合することによって読み出しを所望するデータ部分の検索を行うことを特徴とする音声データの記録再生装置。
【請求項２】
記録媒体に記録されたデジタルデータの全域の中から所望するデータ部分を特定して読み出す際に、読み出しを所望するデータ部分に対応する音声に係る信号又は音声に係るデータを楽器の演奏によって得られる音声、音声に係る信号又はデジタルデータであることを特徴とする請求項１に記載の音声データの記録再生装置。
【発明の詳細な説明】
【技術分野】
【０００１】
この発明は、例えばマイクロホンが入力して来る音声をピックアップしてアナログの音声信号に変換し、そのアナログの音声信号をＡ／Ｄ変換器がデジタル信号に変換してそのデジタル信号をデータとして記録媒体に記録し、或いは、放送を受信してその音声をデジタルのデータとして記録媒体に記録し、その後、その記録したデジタルのデータをアナログの音声信号に再生して出力する構成の音声データの記録再生装置に関する。
この発明は、特に、記録媒体に記録されたデータの中から所望のデータ部分を読み出して再生する、他の記録媒体にコピーする、その所望のデータ部分を使って編集することことの改良に関する。
【０００２】
尚、今日では斯かる構成の音声データの記録再生装置は多機能化されており、この発明は、記録媒体に記録されたデータの全部又は一部を用いて編集を行うデータ編集機能、記録媒体に記録されているデータの全部或いは一部を他の記録媒体にコピーを行うデータコピー機能、対応する映像をタイミング的に対応付けて記録し且つ出力する機能を備えて構成される音声データの記録再生装置も含むものである。
【背景技術】
【０００３】
近年では、容量が大きい記録媒体としてのハードディスクを備え、放送メディアから受信する全ての音声やそれに対応する映像の信号を対応付けて前記記録媒体に自動的にデータとして記録し、その記録したデータの中から、ユーザーが所望する部分のデータだけをＤＶＤ記録媒体などの比較的に安価であって記録容量が比較的小さい記録媒体に再記録させ、こうすることによってデータ全体から所望するデータを小分けするかのようにして選択して取り出し保存して、結果的に、ユーザーが所望するデータ部分について簡便な再生を可能する構成の音声データの記録再生装置が知られている。
さて、容量の大きな記録媒体を備えた音声データの記録再生装置では、記録可能なデータの量に大きな制約がないことから、例えば、数日に及ぶ動物の遠隔観察でマイクロホンに入って来る音声の全て、或いは、長時間放送で受信する音声信号の全てを記録し、場合によっては、１週間分以上の放送に係るデータを記録し続けることが可能である。
【０００４】
尚、このように音声データ等の記録を連続的に行う場合では、記録用スイッチを小刻みにＯＮ／ＯＦＦを繰り返して記録を行う必要はなく、無駄なデータ記録部分も含めて記録がＯＮの状態に保ったままであって構わない。
斯かる構成の音声データの記録の操作では、音声データ等を記録する際にユーザーが記録用スイッチをＯＮにすることを忘れて記録ミスをおかすといったこと防止するための機能が実質的に備えて構成されていることになり、有効で便利であるという効果が得られている。
【０００５】
他方、前記の大記録容量の音声データの記録再生装置では、データの記録可能な容量が大きくなればなるほど記録されるデータの総量が多くなる可能性が増え、記録されているデータの総量が多くなればなるほどユーザーは再生を所望するデータの検索、再記録を所望する対象のデータ部分の検索等がより一層煩雑になり、又、より一層多くの時間が必要になるという問題が生じることになる。
殊に、全体のデータが大き過ぎて、且つ、再生や再記録を所望する対象のデータを所定時間以内に見付け出す場合には、問題は極めて深刻になる。
斯かる問題を解決するものとして、以下の文献で開示の発明が知られている。
【０００６】
【特許文献１】特開２００１−３２６８８９号公報
【発明の開示】
【発明が解決しようとする課題】
【０００７】
特許文献１で開示されている発明は、記録媒体の中から所望するデータ部分を簡便に検索して再生することを目的として、再生対象のデータにアドレス情報データを付加し、所望する再生対象のデータ部分を前記付加のアドレス情報データに基づいて検索を行う記録再生装置および検索システムが示されている。
斯かる構成の発明では、再生対象のデータにアドレス情報データが付加されていること、或いは、再生対象のデータにアドレス情報を付加すること可能であることが前提になっている。
【０００８】
従って、再生対象のデータにアドレス情報データが付加されていない場合、或いは、アドレス情報を再生対処のデータに簡単に付加することができない場合、更に、例え再生対象のデータにアドレス情報データが付加されていてもそのアドレス情報データを読み取る手段がその再生装置に備えられていない場合等では、結果的に、所望する再生対象のデータ部分（データ全体に対する所望のデータの位置）を見付け出すことは不可能であり、簡便に所望のデータ部分を再生することはできないという問題が生じる。
又、記録対象のデータにアドレス情報データを付加する手段と付加されたアドレス情報データを読み取る手段を備えると、装置そのものの構成が大掛かりになるという問題もある。
【０００９】
同様に、上記のアドレス情報データに類するデータとして、データ全体に対してそのデータの位置を絶対的な時間或いは相対的な時間で示す時間情報データ、受信したデータの中の音声信号の音量レベルでそのデータの位置を示すレベル情報データ等が挙げられる。
しかしながら、これらのアドレス情報データに類するデータを活用するには、当然ながら、活用すべきデータを再生対象のデータに付加するための手段及び読み出す（検索する）手段が備わっていることが、再生対象のデータの中から所望するデータの検索が可能になる前提になっており、特許文献１に開示の発明と同様な問題を有する。
【００１０】
この発明は上記の事情に鑑みてなされたものであって、記憶容量の大きい記録媒体に音声データを記録し、その記録された音声データの中から所望するデータを簡便に見付け出すことが可能であって、しかも、記録対象データ（再生対象のデータ）にデータの位置を示すための情報データが付加されていたり、情報データを読み取る手段が備えられていなくとも、所望のデータを見付け出して（検索して）、結果的に、その所望するデータを再生したり、その所望するデータを任意の記録媒体にコピーすること等が可能な音声データの記録再生装置を提供するものである。
【課題を解決するための手段】
【００１１】
この発明は、記録されるデータの全域に高速フーリエ変換処理を行ってそのデータの周波数成分と振幅レベルを特定し、読み出しを所望するデータ部分に係る高速フーリエ変換処理の結果を前記データの周波数成分と振幅レベルに照合させることによって、読み出しを所望するデータ部分のデータ全体に対する位置を特定するように構成した音声データの記録再生装置である。
その詳細な構成は、音声に係るデジタルデータを記録媒体に記録し、その記録媒体に記録されたデータ全体の中から所望するデータ部分を特定して読み出し、再生、コピー、編集の少なくともいずれか一つを行う音声データの記録再生装置であって、
記録対象となる音声に係るデジタルデータに、どの周波数成分がどれだけの振幅レベルで含まれているかを抽出する高速フーリエ変換処理を行ってその処理結果を検索対象データとして記録し、読み出しを所望するデータの少なくとも一部についても同様に高速フーリエ変換処理を行って目的データを作成し、その目的データを前記検索対象データに照合することによって読み出しを所望するデータを検索することを特徴とする音声データの記録再生装置である。
【００１２】
尚、記録媒体に記録されたデジタルデータの全域の中から所望するデータ部分を特定して読み出す具体的な方法として、読み出しを所望するデータ部分に対応する音声に係る信号又は音声に係るデータを楽器の演奏によって得られる音声、音声に係る信号又はデジタルデータが挙げられる。
又、上記楽器としては、ギター、電子オルガン、ピアノ、ヴァイオリン等が挙げられ、読み出しを所望するデータに係る楽器の音声をマイクロホンによって入力する方法、データ全体からいずれそれらの楽器の音声を含むデータを読み出す可能性がある場合にはその楽器の音声を予めメモリチップ等に記録しておき所望する際にそのメモリチップから音声に係る信号又はデータを出力する方法等が挙げられる。
【００１３】
さて、この発明の要部の原理について説明する。音声は、単音が連続して出力されている場合又は互いに異なる複数の単音が連続して出力されている場合でない限り、時間の経過と共に発する音声の周波数が変化する。又、音声が記録の対象になり得るのは、多くの場合、複数の異なる音声（周波数が互いに異なる複数の音声）が同時に出力されている場合である。
因みに、単音の連続、複数の互いに異なる単音同士の連続等が記録される場合では、再生を所望する音声はどの記録時点の音声も同じになるので、どの部分のデータを読み出しても所望する音声を得ることができ問題は生じない。又、再生の期間はその読み出した音声を連続して所望する期間だけ繰り返せば、所望する音声が所望する期間だけ出力することが得られることになる。
【００１４】
他方、記録対象の音声が複数の相異なる音声であって、同時につまり時間的に重なって複数の音声をピックアップする場合には、それらの音声をアナログ量として捉えるとその音声を構成している各音声信号の波形同士が重なり合って合成された音声信号の波形を形成することになり、その結果として、複数の相異なる音声の合成信号として記録された記録対象のそれぞれの音声を構成する信号の周波数成分が特定される、或いは、周波数成分が互いに大きく異なる場合に限って、フィルタを通過させることでそれぞれの音声信号を分離し、若しくは、特定の音声信号のみを強調して（減衰して）抽出する手段が知られている。
しかしながら、斯かる構成の手段では、この発明が求めようとしているデータ全体に対して読み出しを所望するデータの位置を特定することには有効ではない。
【００１５】
これに対して、記録対象となる複数の相異なる音声に対して高速フーリエ変換処理を行った場合には、聴覚的には各音声が重なり合って合成されたものとなっていてもその合成の音声に含まれている各音声の周波数は分離されて内容が判明される。
従って、記録対象の音声データの全域に亘って高速フーリエ変換処理によって周波数成分の結果が判明していて、且つ、読み出しの対象になる音声に係るデータの周波数成分が高速フーリエ変換処理によって判っていれば、それらの周波数成分の照合による整合性の判定及び照合結果に基づく読み出しの位置の検索を行うことによって、読み出しを所望するデータ部分を特定することが可能である。
【００１６】
更に、入力される音声信号にはその音声信号を構成している発生音声の間隔、いわゆる楽器の演奏におけるリズム等の条件が含まれ、この発明においては、入力される音声信号の音声の間隔毎に周波数成分の照合結果が得られる構成であることにより、音声信号を構成する成分についてのみ照合を行うのではなく、当該発生音声の間隔についても照合を行うことによって、より一層精度の高い照合判定を行う機能を備え、斯かる機能によって判定照合による読み出しを所望する位置の検索をよりスピーディで且つよりその検索結果がより確実となるように構成した。
つまり、例えば、米国では取調官が犯罪者に対して調書を取る際に録音機つまり音声データの記録再生装置を使用することが知られているが、或る一つの事件について複数回に亘って行われる調書取りでは数百時間と長い音声データの記録が行われることがある。
【００１７】
こういった記録時間の長い音声データを記録する際には、データを時系列的に記録しておくと後日においてもからもデータの整理がし易いので、記録を行う際にユーザーが記録の冒頭に開始の日時を述べ、その音声をデータとして記録しておくとよい。
このように行った音声データの記録では、後日、読み出しを所望するデータを再生する際には、その読み出しを所望するデータの日時を音声で入力して、その日時の音声について高速フーリエ変換処理を行ってその処理結果をデータ全体の高速フーリエ変換処理の結果と照合することにより、簡単に読み出しを所望するデータを検索して見付け出すことが可能になる。
【００１８】
しかしながら、読み出しのデータが記録されている記録媒体の記憶容量が例えば６０ギガバイト（ＧＢ）と十分に大きな場合では、真に読み出しを所望するデータに係る周波数成分と同じ内容の周波数成分を有するデータ部分が複数ある場合が生じる。
殊に、記録されている音声のデータが洋楽における楽器の音声に係る場合では、音声の出力は音声の高低、音声の長短等が離散的な値を取るように行われるので、テンポが大きく異なる場合は別として、高速フーリエ変換処理による周波数成分の照合において真に読み出しを所望するデータと照合部分だけが一致しているが求めているデータとは内容が全く異なるデータ部分が非常に多く存在する場合が考えられ、照合部分が一致しているという程度までは検索範囲を狭めることは可能であるが、検索手段としてさほど有効であるとは言えないという問題が生じる。
【００１９】
これに対して、読み出しを所望するデータを検索するための照合用の音声データをもっと長い時間のデータとすることによって、検索の精度を上げて真に読み出しを所望するデータを見付け易くするという方法が考えられる。
斯かる方法では、照合用の音声データの長さが長ければその分、より一層検索の範囲を狭めることになり、真に求めるデータを見付け出し易くなる。
しかし、時間の長い照合用の音声データを用意するのであれば、場合によっては、例えば、読み出しを所望することになるであろうデータを最初から他の記録媒体に記録するなどいった他の簡便で検索が確実な方法が考えられる。
【００２０】
そこで、この発明の発明者は、読み出しを所望するデータ部分に対して更に特徴を示す要件を付加することによって検索の絞り込みの結果がより一層限定されたものとなるようにすることにより、この発明を完成させた。
つまり、例えば音声データが楽曲に関わるものである場合、読み出しを所望のデータの一部をその所望データに係る楽器を特定することで所望データの候補選択肢をより一層狭い範囲に限定するということである。
【００２１】
具体的には、音楽のデータ全体から所望データに対して、所望するデータで音声出力に使用されている楽器がヴァイオリン、ギター、ピアノ、電気オルガン等であれば、その楽器を特定しその特定の後に、一小節或いはそれより短い程度を演奏する。
ここで、照合の対象となるデータ全体は、使用される楽器が特定され且つ演奏によって読み出しを所望するデータの箇所は極めて狭く限定されることになり、又、高速フーリエ変換処理によって周波数成分は極めて正確に照合を可能にすることから、真に求める読み出しを所望するデータを得ることが可能になる。 
【発明の効果】
【００２２】
この発明は、マイクロホンがピックアップする音声、ラジオ受信機が受信する音声に係る信号、複写することによって得られる音声に係るデジタルデータ等をデジタルデータとして記録する際にその記録対象の全域に対して高速フーリエ変換処理によって前記デジタルデータの周波数成分と振幅レベルを抽出してその全域データの抽出結果を記録し、前記デジタルデータの中から部分的にデータの読み出しを所望する際にはその読み出しを所望するデータを高速フーリエ変換処理によってデータの周波数成分と振幅レベルを抽出して所望データの抽出結果を前記全域データの抽出結果に照合することによって読み出しを所望するデータを検索するように構成したことにより、記録されるデータ全体に各部分のデータの位置を示すデータが記録され、読み出しを所望するデータの一部分のデータを与えることによって読み出しを所望するデータの位置を簡便に得ることが可能であって、しかも、データを記録する際に各部分データの位置が記録される構成であることにより読み出しの所望するデータは確実に読み出すことができ、又、そのための演算を高速フーリエ変換処理で行っていることから装置の構成を大掛かりにすることなく簡便でスピーディで行い得る音声データの記録再生装置である。
【００２３】
尚、記録対象の音声データが楽器演奏や人の声に係るものである場合に、この発明における高速フーリエ変換処理ではその楽器や人の声は極めて特徴的なデータとして捉えられることから読み出しを所望する部分のデータの検索はより一層容易でスピーディに行うことが可能になっている。
【発明を実施するための最良の形態】
【００２４】
この発明を、以下に示す最良の形態に基づいて説明する。しかし、この形態によってこの発明が限定されるものではない。
まず、図１は、音声データの記録再生装置１の外観を示す斜視図であり、図２は、記録媒体Ａ，Ｂが接続されている状態の音声データの記録再生装置１の構成を説明するブロック図である。
【００２５】
音声データの記録再生装置１は、装置本体であるケーシング２の表面又は内部に配設される入力端子３と、右マイクロホン４と、左マイクロホン５と、コード入力部６と、Ａ／Ｄ変換器７と、クロック８と、デジタル信号プロセッサ９（以下、「ＤＳＰ９」と称する。）と、記録再生部１０，１１と、ＣＰＵ１２と、メモリ１３と、操作部１４と、表示部１５と、Ｄ／Ａ変換器１６、出力端子１７、スピーカ１８が備えられている。
尚、記述したように、音声データの記録再生装置１の構成を示す図においては、記録再生部１０，１１にそれぞれ記録媒体Ａ１９，記録媒体Ｂ２０が接続されている。
【００２６】
又、記録媒体Ａ１９は、具体的にはハード・ディスクであってその記憶容量は例えば６０ＧＢと比較的に大容量であり、記録媒体Ｂ２０は、具体的にはＣＤ−Ｒであってその記憶容量は例えば６４メガバイト（ＭＢ）と比較的に小さい容量である。
音声データの記録再生装置１のケーシング２の前部に凹部（図示省略）が設けられ、その凹部に記録再生部１０，１１のコネクタ（図示省略）が配設され、それらのコネクタに
記録媒体Ａ１９，記録媒体Ｂ２０がそれぞれ接続されると、記録媒体Ａ１９，記録媒体Ｂ２０は前記凹部に収納される位置を取る構成になっている。
【００２７】
２１は蓋体であって、ケーシング２の本体に対して矢印Ｃ方向に回動可能であり、前記凹部を閉塞するためのものである。
ケーシング２の前部及び天面は、操作部１３の一部を構成し、ユーザーが操作を行うための操作スイッチ類が配設されている。
【００２８】
又、ケーシング２の天面には、表示部１４の液晶表示パネル２２と、右マイクロホン４用と左マイクロホン５用のマイクロホングリル２３と、スピーカ１８用のスピーカグリル２４が配設されている。
更に、ケーシング２の右の側部には、入力端子３とコード入力部６が配設されている。
【００２９】
以下において、図２に示す各部の機能を説明する。
入力端子３は、外付けのマイクロホン、チューナー、楽器用マイクロホン等（以上、図示省略）の外部からの音声信号を入力するものである。
右マイクロホン４及び左マイクロホン５は共に、集音面がケーシング２の天面から上方向の姿勢で配設され、録音対象の音声をピックアップすると電気信号に変換し、更に、所定のレベルに増幅した後にＡ／Ｄ変換器７に送るものである。
【００３０】
コード入力部６は、読み出しを所望するデータと同一若しくは極めて近似のアナログの音声（コード）を入力し、所定のレベルに増幅した後にＡ／Ｄ変換器７に送るためのものである。
コード入力部６に入力されるコードは、具体的に、マイクロホンで拾われた人の声の音声信号、エレキギター、電子オルガン等からの音声に係るコード、ピアノ、ヴァイオリン等の楽器音をマイクロホンでピックアップして得られた音声に係る信号等が挙げられる。
【００３１】
Ａ／Ｄ変換器７は、入力されて来るアナログの信号をデジタルデータに変換してＤＳＰ９に送るものである。
クロック８は、記録再生制御部２７の動作クロックとしての機能を有すると共に、計時機能として日時と時刻を設定するためのものであって、記録再生制御部２７に入力されるデータは時間データが付されて記録媒体Ａ１９に記録される構成になっている。
【００３２】
ＤＳＰ９は、Ａ／Ｄ変換器７からの音声に係るデジタルデータを受け取ると、その音声に係るデジタルデータにどの周波数成分がどれだけの振幅レベルで含まれているかを抽出する高速フーリエ変換処理を行って、その処理結果を検索対象データとして記録するものである。
又、ＤＳＰ９は、コード入力部６からＡ／Ｄ変換器７を介して入力された音声に係るデータ、つまり、コードを変換して得られるデジタルデータを受け取ると、そのデジタルデータに上記と同様の高速フーリエ変換処理を行い、この処理によって得られる結果のデータと前記検索対象データの中から同一若しくは極めて近似のデジタルデータを部分的に同じである箇所を照合することで求めるデータを検索し、その対応する箇所を見付け出して呼び出せるように示す機能が備えられている。
【００３３】
ＤＳＰ９は、ＦＦＴ処理部２５、記憶部２６、記録再生制御部２７、記憶部２８、音声コード化処理部２９を備えて構成されている。
ＦＦＴ処理部２５は、Ａ／Ｄ変換器７からデジタルデータを入力すると、高速フーリエ変換処理を行ってその連続するデジタルデータの各部にどの周波数成分がどれだけの振幅レベルで含まれているかを抽出するものである。
【００３４】
記憶部２６は、ＦＦＴ処理部２５の後段に接続され、ＦＦＴ処理部２５における高速フーリエ変換処理の抽出結果を記憶するものである。
記録再生制御部２７は一つに、Ａ／Ｄ変換器７から音声に係るデジタルデータを受け取って、記録再生部１０がＡ／Ｄ変換器７からのデジタルデータを記録媒体Ａ１９に記録を行うことの制御、及び、記録媒体Ａ１９に記録されたデジタルデータの再生を行うことの制御を行うものである。
【００３５】
又、記録再生制御部２７は、ＦＦＴ処理部２５の高速フーリエ変換処理（抽出処理）によって得たデータを記憶している記憶部２６から記録対象のデジタルデータに係る周波数成分のうちで特徴的な成分を示す抽出処理データを読み出して、記録再生部１０を介して、記録媒体Ａ１９に記録時間を関連付けて記録するための制御、及び、記録媒体Ａ１９に記録される周波数成分に係るデータとその配列を読み出すための制御を行うものである。
更に、記録再生制御部２７は、記録媒体Ａ１９に記録されているデジタルデータの中から読み出しを所望するデジタルデータ部分の配列の位置について検索の要求が行われた場合には、記録再生部１０を介して記録媒体Ａ１９に記録されているＦＦＴ処理部２５で得られた周波数成分に係るデータを読み出し、その読み出したデータと所望するデータの位置に対応するデータの配列を元に参照比較を行ってユーザーが読み出しを所望するデジタルデータ部分の位置を短時間で的確に検索し、検索によって所望するデジタルデータ部分の位置が確定すると、そのデジタルデータ部分の位置を再生開始の位置としてサーチ（再生位置の移動）を行うように制御を行うものである。
【００３６】
加えて、記録再生制御部２７は、記録再生部１１がＡ／Ｄ変換器７からの音声に係るデジタルデータを記録媒体Ｂ２０に記録を行うことの制御、記録再生部１１が記録再生部１０からの音声に係る再生デジタルデータを記録媒体Ｂ２０に記録を行うことの制御、及び、記録再生部１１が記録媒体Ｂ２０から音声に係るデジタルデータの再生を行うことの制御を行うものである。
記録再生制御部２７は、更に、記憶部２６に記憶されているＦＦＴ処理部２５による上記抽出結果に基づいて、記録媒体Ａ１９に記録されているデータの中から上述の入力されたコードに一致する配列を照合して読み出し、その読み出した対象のデジタルデータを記録媒体Ｂ２０にそのまま記録する、つまり、編集機能の制御を行うものである。
【００３７】
音声コード化処理部２９は、Ａ／Ｄ変換部７からの音声に係るデータがＦＦＴ処理部２５においてＦＦＴ処理されてそのデータの特徴的な周波数成分が導き出されると、その周波数成分に関して操作部１４によって操作設定された固有の楽器の音色に合致する楽器のコードに変換を行い、入力される音声信号に関連付けて記憶部２８に記憶を行うものである。
記憶部２８は、上記楽器のコードを記憶するものである。又、記憶部２８は、コード入力手段６から入力される読み出しのための音声信号の種類、例えば、エレキギター、電子オルガン、ピアノ、ヴァイオリン等である際に、その音声信号の種類を操作部１４から入力すると、その音声信号の種類を記憶するものである。
【００３８】
操作部１４は、ユーザーからの操作を受けてその旨を制御のための信号としてＣＰＵ１２に送るものである。尚、操作部１４は、コード入力部６から検索のための音声信号を入力する際に、その音声信号が特定の楽器に係る音声信号である場合、例えばエレキギターの音声信号、電気オルガンの音声信号等であった場合に、その旨をＤＳＰ９に知らせるための信号をも出力するものである。
ＣＰＵ１２は、操作部１４とＤＳＰ９の間にあって、ユーザーからの操作内容を所定の制御信号に変換して出力するものである。
【００３９】
メモリ１３は、ＣＰＵ１２の機能を補助するためのデータを記録しているものである。
表示部１５は、装置の現行状態、操作部１４に入力した操作の内容、記録と再生の時間、記録レベル、ＦＦＴ処理部２５における処理に関する周波数を簡素化して示す図、コード入力部６から入力される信号の楽器コード、現在時刻等を表示するものである。
【００４０】
Ｄ／Ａ変換器１６は、実質的に、記録再生部１０，１１の後段に接続され、記録媒体Ａ１９及び記録媒体Ｂ２０からの再生された音声に係るデジタルデータを受け取ってアナログの信号に変換し、出力レベルを所定のレベルに加工してから出力するものである。
出力端子１７は、Ｄ／Ａ変換器１６の後段に接続され、外付けのスピーカ等に音声に係るアナログ信号を出力するものである。
【００４１】
スピーカ１８は、Ｄ／Ａ変換器１６の後段に接続されて、音声に係るアナログ信号を受けて音声に変換して出力するものである。
音声データの記録再生装置１は、上述したように構成されている。以下において、所望データ部分の検索について説明する。
【００４２】
音声データの記録再生装置１は、予め入力端子３にラジオ受信機（図示省略）の出力端が接続されている。尚、このラジオ受信機には、モニタースピーカが備えられていて、モニター音を聴くことが可能になっている。
又、記録媒体Ａ１９には既に前記ラジオ受信機からの音声に係る一定量のデジタルデータが記録されており、その一定量のデジタルデータは記録媒体Ａ１９に記録される際にＦＦＴ処理部２５においてデータの全域に亘って高速フーリエ変換処理によってどの周波数成分がどれだけの振幅レベルで含まれているかの抽出が行われ、その抽出によって得られた結果は検索用データとして記録部２６に記録されている。
【００４３】
ユーザーはまず初めに、操作部１４を操作して音声データの記録再生装置１のメイン電源をＯＮにして出力状態にさせ、続いて、前記ラジオ受信機からの音声信号を記録媒体Ａ１９に記録するように操作部１４を操作する。
ここで、前記ラジオ受信機からの音声に係る信号は、入力端子３を介してＡ／Ｄ変換器７に送られ、アナログの信号からデジタルのデータに変換されてＤＳＰ９に送られる。
【００４４】
前記ラジオ受信機に係るデジタルデータはＤＳＰ９に入力されると、ＦＦＴ処理部２５と記録再生制御部２７に送られる。
ＦＦＴ処理部２５は、前記デジタルデータを受け取るとその受け取ったデジタルデータの全域に亘って、高速フーリエ変換処理によって各データ部分にどの周波数成分がどれだけの振幅レベルで含まれているかの抽出を行い、その抽出結果を検索用データとして記憶させるように記憶部２６に送る。
【００４５】
尚、ＦＦＴ処理部２５は、入力されて来るデジタルデータを幾つかのグループに分けて演算処理し、その際の計算順序を工夫することによって、グループ分けの数をＮ個とした場合に、演算の回数はＮｌｏｇＮに比例するものとなる。
他方、通常の変換では、演算の回数は２のＮ乗に比例するものとなる。
よって、高速フーリエ変換処理を行う方が演算の回数が極めて少なく、殊に、グループ分けの数Ｎを多くするほど演算の数が少なくて済み、その分、処理時間を短縮することが可能であり、演算手段の構成を簡便にすることが可能になっている。
【００４６】
他方、記録再生制御部２７に送られたデジタルデータは、クロック８からのクロック信号に対応付けられ、記録再生部１０によって記録媒体Ａ１９に順次記録される。
このようにして、前記ラジオ受信機からの音声信号をデジタルデータとして記録媒体Ａ１９に記録していると、次の放送の曲がユーザーのお気に入りの箏曲である「春の海」である旨が前記ラジオ受信機の前記モニタースピーカから聞こえて来た。
【００４７】
そこで、ユーザーは、ヴァイオリン演奏が得意であって手元にヴァイオリンがあったので、操作部１４から右マイクロホン４と左マイクロホン５の機能をＯＮにするための操作
を行い、更に、コード入力部６から入力される音声がヴァイオリンである旨の操作を行った。
ここで、右マイクロホン４と左マイクロホン５は機能可能状態になり、操作部１４はヴァイオリンの音声信号がコード入力部６に入力される旨をＣＰＵ１２に送る。
【００４８】
ユーザーである操作者は、右マイクロホン４と左マイクロホン５に集音されるようにして、前記モニタースピーカからの楽曲に合わせて箏曲「春の海」を弾いた。
ユーザーは、箏曲「春の海」を弾き終えると、右マイクロホン４及び左マイクロホン５の機能をＯＦＦにし、前記ラジオ受信機からの音声信号の記録を続けた。
【００４９】
上述したように、記録媒体Ａ１９は記録の容量が６０ＧＢと十分に大きいことから、ユーザーは音声データの記録再生装置１を機能させて、更に所望する音声に係るデータの記録を行った。この音声データの記録再生装置１を使用して音声データの記録を行うことによって、前記箏曲「春の海」に係るデジタルデータは記録媒体Ａ１９のどこに記録されたか判らない状態になった。
ユーザーは、ある時、友人から箏曲「春の海」を聞きたいと言われたので、自分のヴァイオリン演奏の楽曲が入っているのでも構わなければ記録媒体Ａ１９にデータとして記録されている旨を述べた。
【００５０】
すると、その友人は、実は琴とヴァイオリンの共演の方がより一層聴きたいと思っていた演奏なので是非聴かせて欲しいとのことであった。
そこで、ユーザーは、操作部１４を操作し、操作部１４を操作してコード入力部６からの検索用の音声信号はヴァイオリンの音声に係るものであると設定すると、その旨が記憶部２６に記憶される。
【００５１】
ここで、ユーザーは、音声データの記録再生装置１を機能させ、手元にあったヴァイオリンにマイクロホンを装着しそのマイクロホンの出力端子（図示省略）をコード入力部６に接続してから、箏曲「春の海」の頭出しのコード（検索読み出し用データ）を前記ヴァイオリンで奏でた。
この頭出しのコードのアナログの音声信号は、Ａ／Ｄ変換部７でデジタルのデータとなってＦＦＴ処理部２５に送られる。
【００５２】
ＦＦＴ処理部２５は、頭出しのコードに係るデジタルデータに高速フーリエ変換処理を行ってそのデータに周波数成分がどれだけの振幅レベルで含まれているかを抽出し、その抽出結果を記録再生制御部２７に送る。
ここで、記録再生制御部２７は、記憶部２６に記憶されているデータ全体に係る高速フーリエ変換処理の結果に対して記憶部２８に記憶されている音声がヴァイオリンであることに基づく第１次のフルイを掛けて、ヴァイオリンの音声に係るデータに絞り込む。よって、この時点では、記録媒体Ａ１９に記録されている音声に係るデジタルデータのうち、音声がヴァイオリンに係るデジタルデータだけが検索の対象として残る。
【００５３】
次に、記録再生制御部２７は、上記で得られた検索対象として残ったデジタルデータに対して記憶部２６に記憶されている上記検索読み出し用の頭出しコードに係る高速フーリエ変換処理の結果を照合させ、箏曲「春の海」の頭出し部分に係るデジタルデータを検索する。
ここで、前記第１次のフルイで残ったデジタルデータに係る高速フーリエ変換処理の結果と前記頭出し部分のデジタルデータに係る高速フーリエ変換処理の結果は共に時系列的に特徴的な周波数成分となっていることから、それらの周波数成分の配列の塊が互いに全く一致している部分は極めて限られることになる。
【００５４】
記録再生制御部２７は、第２次のフルイとして、上記周波数成分の配列の塊が互いに全く一致する全体データにおける該当箇所（箏曲「春の海」の頭出し部分のデータ）を検索して特定し、それに該当する個所を記憶部２６に記憶すると共に、その旨をＣＰＵ１２を介して表示部１５に表示する。
ここで、第２次のフルイによって、箏曲「春の海」の頭出し部分データに係る周波数成分の配列の塊と全く一致する箇所が全体のデジタルデータで３箇所見付かれば、その三箇所の全体データ上の各位置が記憶部２６に記憶され、表示部１５に該当個所が３箇所ある旨が表示される。
【００５５】
ユーザーは表示部１５に表示された内容に基づいて、見付かった三箇所の頭出し部分についてそれぞれ再生を行うように操作部１４を操作する。
ここで、ＤＳＰにおいて、記憶部２６に記憶されていて前記第２次のフルイで見付かった三箇所の頭出し部分について、記録再生部１０が記録媒体Ａ１９のデジタルデータの中から該当するデジタルデータをそれぞれ５秒間ずつ再生するように記録再生制御部２７が制御を行う。
【００５６】
ここで、記録媒体Ａ１９から再生された上記三箇所のデジタルデータは、Ｄ／Ａ変換器１６を経てスピーカ１８から音声として出力される。
ユーザーは、スピーカ１８からの上記三箇所のデジタルデータに係る音声を聴いて、読み出しを所望している音声、つまり、箏曲「春の海」の頭部分が何番目のデータであるかを特定する。
【００５７】
ユーザーは、続いて、記録媒体Ａ１９に記録されているデジタルデータの中から所望している箏曲「春の海」の頭出し部分が見付かると、操作部１４を操作して、記録媒体Ａ１９に記録されている箏曲「春の海」の音声データを記録媒体Ｂ２０にコピーするように記録再生制御部２７を機能させる。
ここで、記録再生制御部２７は、記録再生部１０を制御して箏曲「春の海」の音声データを再生して読み出し、且つ、そのデータを記録媒体Ｂ２０に記録するように記録再生部１１を制御する。
【００５８】
このデータのコピーを行う際、ユーザーは操作部１４を操作することによってスピーカ１８からモニター音声を出力させることで、ユーザーと友人は記録媒体Ｂ２０に箏曲「春の海」のデジタルデータが記録されていることを知る。
尚、この時のスピーカ１８からの箏曲「春の海」の音声の出力のテンポは、ショックプルーフメモリ（図示省略）の作用によって前記ラジオ受信機の受信した時と同じテンポであるが、箏曲「春の海」のデジタルデータの記録媒体Ｂ２０への記録は記録再生部１１の処理能力に則した時間で行われる。
又、モニター音声の箏曲「春の海」は、出力端子１７から外付けのスピーカで聴くことも可能である。
【００５９】
上述した音声データの記録再生装置１の使用では、検索用のヴァイオリンの音声の入力に対して記録媒体Ａ１９のデジタルデータに３箇所の該当個所（該当候補）があったが、コード入力部６への検索用の音声信号の長さ、つまり、高速フーリエ変換処理で得られる周波数成分の配列の塊を大きくすることによって、上記第２次のフルイの条件を高い精度のものとすることによって、該当個所をより一層少なくすることが可能である。
但し、例えば、記録媒体Ａ１９に、途中まで全く同じ音声或いは全てが全く同じ音声をデジタルデータとして記録した場合では、読み出しを所望する音声に係るデータはその数だけあるので、記録再生制御部２７はそれら全てを検出結果として記憶部２６に記憶すると共に、その旨を表示部１５に表示することになる。
【００６０】
上述した音声データの記録再生装置１の使用では、入力端子３から前記ラジオ受信機の音声信号を入力すると共に、右マイクロホン４と左マイクロホン５によってヴァイオリンの音声を音声信号としてピックアップしているが、入力端子３のみからの音声に係る信号の入力、右マイクロホン４と左マイクロホン５のいずれか少なくとも一つからの音声のピックアップであってもよい。
上述した音声データの記録再生装置１の使用では、読み出しを所望するデータ部分を検索するためにマイクロホンでピックアップした音声をコード入力部６から入力させることによって頭出しのコードに係るデジタルデータを与えているが、読み出しを所望する音声データが数多くある場合は、対応する頭出しのコードに係る音声を記録しておき、必要に応じて所望呼び出しに係る頭出しの音声を再生することによって頭出しのコードに係るデジタルデータを与える方法が挙げられる。
【００６１】
上述した音声データの記録再生装置１の使用では、読み出しを所望する音声がヴァイオリンつまり楽器に係るものであることから該当個所が多くなって真に所望する読み出し部分を特定が難しいということで第１次のフルイとして音声の種類を特定したが、例えば、取り調べの口述調書、観察記録の口述等のよう記録対象の音声が極めて特徴的であって、特に各データの頭部に日時や場所等の音声を含む場合では、記録対象の音声と同一の音声でそれらの日時や場所を検索用の音声として入力すると、一義的に読み出しを所望するデータは容易に読み出すことが可能である。
【００６２】
音声データの記録再生装置１は、記憶容量の大きい記録媒体Ａ１９に多くの音声をデジタルデータとしてランダムに記録していても所望する音声データを簡便に短時間で読み出すことが可能であり、しかも、読み出しを所望するデータの位置を示す情報データ、その情報データを読み取る手段を必要とすることなく、よって、比較的簡便な構成である。
音声データの記録再生装置１は、記録媒体Ａ１９から読み出した箏曲「春の海」に係るデジタルデータを記録媒体Ｂ２０に記録した後、更に他のデジタルデータを記録媒体Ｂ２０に記録すること等によってデジタルデータの編集を簡便に行うことも可能である。
【図面の簡単な説明】
【００６３】
【図１】この発明を実施するための最良の形態の斜め前方上部から見下ろして見た全体の斜視図である。
【図２】図１に示す実施するための最良の形態において、装置の構成と機能を説明するブロック図ある。
【符号の説明】
【００６４】
１：            音声データの記録再生装置
３：            入力端子
４，５：        マイクロホン
６：            コード入力部
７：            Ａ／Ｄ変換部
８：            クロック
９：            デジタル信号プロセッサ（ＤＳＰ）
１０，１１：    記録再生部
１２：          ＣＰＵ
１４：          操作部
１６：          Ｄ／Ａ変換部
１７：          出力端子
１９：          記録媒体Ａ
２０：          記録媒体Ｂ
２５：          ＦＦＴ処理部
２６，２８：    記憶部
２７：          記録再生制御部
２９：          音声コード化処理部
【図１】
2009032335.tif 000003
【図２】
2009032335.tif 000004